(57)【要約】      （修正有）【課題】理容用洗髪台に装着することができるクッションセットを提供する。【解決手段】クッションセット１は、理容用洗髪台の外縁部に凹側面１１が取り付けられる略逆Ｕ字形状のＵ字ベース体１３を備え、Ｕ字ベース体１３は、クッション状の顎受け部１５を有している。これにより、使用者は安定した姿勢で洗髪することができる。また、クッションセット１には、使用者の肩を支持する肩クッション部材２０が含まれてもよい。【選択図】図１
0003216951.tif 000002
【実用新案登録請求の範囲】
【請求項１】
閉じた際に収納され、開いた際に使用可能となる開閉式の理容用洗髪台の手前側外縁部の中央に形成された凹状部に取り付けられるＵ字ベース体を備え、
前記Ｕ字ベース体は、
側面視略逆Ｕ字形状であり、一側面には、当該Ｕ字ベース体が前記凹状部に取り付けられた状態で前記凹状部に当接する凹側面を有し、他側面には、前記凹側面が前記凹状部に当接した状態で上を向く凸側面を有し、
前記凸側面には、
前記凹状部に前記Ｕ字ベース体が取り付けられた状態で当該理容用洗髪台の内周面側に配置されるクッション状の顎受け部と、当該理容用洗髪台の外周面側に配置されており、当該洗髪台を収納状態とした際に当該洗髪台を囲繞する外枠部に対向する、顎受け部が形成されない薄肉部と、が形成されている
ことを特徴とするクッションセット。
【請求項２】
さらに肩クッション部材を含み、
前記肩クッション部材は、
可撓性を有する帯状ベース体を備え、
前記帯状ベース体の長手方向における両端のうち一端には、前記理容用洗髪台の内周面に取着される取着部が設けられており、
前記帯状ベース体の長手方向における両端のうち他端には、開放時における前記理容用洗髪台の外周面側において洗髪者側に突き出すように配置されるクッション状の肩受け部が設けられている
請求項１に記載のクッションセット。
【考案の詳細な説明】
【技術分野】
【０００１】
本考案は、理容店で用いられる開閉式の理容用洗髪台に取り付けられるクッションセットに関する。
【背景技術】
【０００２】
従来から理容店では、使用者が座す椅子の前方に洗髪台が壁面に軸支されている場合がある。具体的には、洗髪台を壁側に向かって閉鎖させると洗髪台が収納状態となり、洗髪台を手前側（椅子側）に倒して開放させると洗髪可能な使用状態となる。
【０００３】
そして、洗髪台の使用状態において、使用者は顔を下向きにして洗髪台の上方に顔を突き出し、後頭部側からシャワー等で使用者の頭部を洗い流していた。
【０００４】
ところで、このように顔を下向きにして突き出す姿勢は、頚部に大きな負担が生じるため、例えば特許文献１のような、下向きにした顔の外周部を支持して姿勢を安定化させる洗髪用補助具が開示されている。当該洗髪用補助具は、顔を覆う筒状体部から突出した把持部を使用者が手で把持して洗髪時の姿勢を維持するものである。
【先行技術文献】
【特許文献】
【０００５】
【特許文献１】特開２０１６−１８２２３６号公報
【考案の概要】
【考案が解決しようとする課題】
【０００６】
しかしながら、上述の従来構成は、装置が複雑で大型であるため、洗髪台を閉じて収納する際に、保管スペースが別途必要となると共に、洗髪台を開閉する際に伴う取り付け作業及び取り外し作業が極めて面倒であるという問題があった。
【０００７】
そこで本考案は、従来からある開閉式の理容用洗髪台に簡単に適用することができるクッションセットを提供することを目的とする。
【課題を解決するための手段】
【０００８】
本考案は、閉じた際に収納され、開いた際に使用可能となる開閉式の理容用洗髪台の手前側外縁部の中央に形成された凹状部に取り付けられるＵ字ベース体を備え、前記Ｕ字ベース体は、側面視略逆Ｕ字形状であり、一側面には、当該Ｕ字ベース体が前記凹状部に取り付けられた状態で前記凹状部に当接する凹側面を有し、他側面には、前記凹側面が前記凹状部に当接した状態で上を向く凸側面を有し、前記凸側面には、前記凹状部に前記Ｕ字ベース体が取り付けられた状態で当該理容用洗髪台の内周面側に配置されるクッション状の顎受け部と、当該理容用洗髪台の外周面側に配置されており、当該洗髪台を収納状態とした際に当該洗髪台を囲繞する外枠部に対向する、顎受け部が形成されない薄肉部と、が形成されていることを特徴とするクッションセットである。
【０００９】
かかる構成は、従来から古く使用されている開閉式の理容用洗髪台に簡単に適用することができる。そして、かかる構成にあっては、前記顎受け部に顔を下向きにした使用者が顎を乗せることで姿勢を安定化させることができ、頚部に余計な負担がかからない。また、洗髪台を収納状態とした際には、洗髪台を囲繞する外枠部に顎受け部が引っ掛からないため、Ｕ字ベース体を洗髪台に取り付けたまま当該洗髪台を収納状態とすることでき、利便性が高い。
【００１０】
また、さらに肩クッション部材を含み、前記肩クッション部材は、可撓性を有する帯状ベース体を備え、前記帯状ベース体の長手方向における両端のうち一端には、前記理容用洗髪台の内周面に取着される取着部が設けられており、前記帯状ベース体の長手方向における両端のうち他端には、開放時における前記理容用洗髪台の外周面側において洗髪者側に突き出すように配置されるクッション状の肩受け部が設けられている構成が提案される。
【００１１】
かかる構成とすることにより、洗髪台に顔を入れた状態で頭部を洗う際に、洗髪台の外縁部の外側に使用者の肩がぶつかってしまうことがなくなる。また、洗髪台を収納状態とした際には、肩受け部を洗髪台の内周面側に吊り下げるようにして収納しておくことができるため、極めて利便性が高い。
【考案の効果】
【００１２】
本考案にかかるクッションセットは、使用者の姿勢を安定化させることができると共に、従来からある開閉式の理容用洗髪台に簡単に適用することができる効果がある。
【図面の簡単な説明】
【００１３】
【図１】実施例にかかるクッションセットの斜視図である。
【図２】実施例にかかる顎クッション部材を示し、（ａ）は右側面図であり、（ｂ）は底面図である。
【図３】実施例にかかる肩クッション部材を示し、（ａ）は正面図であり、（ｂ）は右側面図であり、（ｃ）は背面図である。
【図４】実施例にかかるクッションセットを、使用状態の理容用洗髪台に取り付けられた状態を示す正面図である。
【図５】実施例にかかるクッションセットを、使用状態の理容用洗髪台に取り付けられた状態を示し、（ａ）は顎クッション部材の側断面図であり、（ｂ）は肩クッション部材の側断面図である。
【図６】実施例にかかる洗髪台が収容された状態を示し、（ａ）は顎クッション部材の側断面図であり、（ｂ）は肩クッション部材の側断面図である。
【考案を実施するための形態】
【００１４】
以下に本考案を具体化した実施例を詳細に説明する。なお、本考案は、下記に示す実施例に限定されることはなく、適宜設計変更が可能である。
【００１５】
〔実施例〕
本実施例のクッションセット１を構成する顎クッション部材１０及び肩クッション部材２０を図１〜図３に従って説明する。
【００１６】
図１，図２に示すように、顎クッション部材１０は、側面視略逆Ｕ字形状で硬質の板部材からなるＵ字ベース体１３を備えている。さらに、Ｕ字ベース体１３は、凹形状に凹んだ裏面側の凹側面１１と、凹側面１１とは反対側に凸形状に突出した表面側の凸側面１２とを備えている。
【００１７】
また、Ｕ字ベース体１３の凸側面１２における、手前側の下端から凸形状の頂点近傍までは、縦長でＵ字ベース体１３より軟質のクッション状である顎受け部１５が取り付けられている。一方、頂点近傍から奥側の下端までは、Ｕ字ベース体１３が露出して顎受け部１５が形成されていない薄肉部１６が形成されている。
【００１８】
また、肩クッション部材２０は、図１，図３に示すように、可撓性を有する長尺で帯状の帯状ベース体２１を備えている。
【００１９】
帯状ベース体２１の長手方向における両端のうち一端部の裏面２２には、公知の吸着パッド２３が取り付けられている。
【００２０】
また、帯状ベース体２１の長手方向における両端のうち他端部の表面２５には、略立方体形状でクッション状の肩受け部２６が取り付けられている。
【００２１】
１個の顎クッション部材１０及び２個の肩パッド部材２０とで本発明のクッションセット１が構成されている。
【００２２】
クッションセット１は、理容店で用いられる開閉式の理容用洗髪台５０に装着される。理容用洗髪台５０は、上部が開いた凹形の器からなり、外縁部５１が上方へ盛り上がって水等の液体を受け入れる内周面部５２が形成されている。また、外縁部５１の手前側中央には凹状部５３が形成されている。なお、理容用洗髪台５０は、奥端部を左右方向の軸として回動することにより、正面の壁面に形成された収容凹部６０に収容可能とされている。
【００２３】
図４，図５（ａ）に示すように、顎クッション部材１０は、理容用洗髪台５０の凹状部５３に、凹側面１１側が接するように嵌着される。このとき、顎受け部１５は理容用洗髪台５０の内周面部５２側に位置するように取り付けられる。なお、顎受け部１５の高さは、理容用洗髪台５０の凹状部５３から突出しない程度の寸法とされている。
【００２４】
一方、肩クッション部材２０は、理容用洗髪台５０の手前側の外縁部５１に取り付けられる。詳述すると、肩クッション部材２０の吸着パッド２３を理容用洗髪台５０の内周面部５２に取り付けて固定し、肩受け部２６が理容用洗髪台５０の外縁部５１から外側（椅子側すなわち使用者側）に突き出るように取り付ける。なお、肩クッション部材２０は顎クッション部材１０の左右に１個ずつ取り付けられる。
【００２５】
理容用洗髪台５０を用いて使用者Ｈの頭部を洗う際には、図５（ａ）に示すように、使用者Ｈの顎を顎クッション部材１０の顎受け部１５に接するように押し当てる。これによって使用者Ｈの頭部が安定し、使用者Ｈの頭部を洗い易くするだけでなく、使用者Ｈの頚部にかかる負担も大幅に低減される。
【００２６】
また、図５（ｂ）に示すように、使用者Ｈの肩部が肩クッション部材２０の肩受け部２６に接触することで、使用者Ｈの姿勢がより安定する。
【００２７】
さらに、洗髪台５０を閉鎖する方向に回動させて収容凹部６０に収容する際には、図６（ａ）に示すように、肩クッション部材２０の肩受け部２６側を洗髪台５０の内周面部５２側に入れて吊り下げた状態とすることで、肩クッション部材２０が邪魔になることなく洗髪台５０を適正に収容することができる。なお、顎クッション部材１０の薄肉部１６が、洗髪台５０の凹状部５３に取り付けられた状態で当該理容用洗髪台５０を囲繞する収容凹部６０の内壁部（外枠部）に対向し、顎クッション部材１０全体が凹状部５３から突出していないため、図６（ｂ）に示すように、洗髪台５０をそのまま収容凹部６０に収容しても顎クッション部材１０が収容凹部６０の内壁部に引っ掛かってしまうことはない。
【００２８】
このように、洗髪台５０が収容凹部６０に収容される際にもクッションセット１を洗髪台５０から取り外す必要がなく、１個の洗髪台５０にクッションセット１を配置したままで洗髪台５０を使用し、収容することができる。
【００２９】
上記実施例において各部の寸法や形状は適宜自由に選択可能である。例えば、顎受け部１５や肩受け部２６は、外観上、多角形状であってもよいし、円形状であってもよい。また、取着部としては、吸着パッドに限られず、例えば接着テープが採用されてもよい。また、各部の材料については、水分を取り扱う点から、少なくとも表面が耐水性を有するものであることが望ましい。
【符号の説明】
【００３０】
１            クッションセット
１０          顎クッション部材
１１          凹側面
１２          凸側面
１３          Ｕ字ベース体
１５          顎受け部
２０          肩クッション部材
２１          帯状ベース体
２２          裏面
２３          吸着パッド
２５          表面
２６          肩受け部
５０          理容用洗髪台
５１          外縁部
５２          内周面部
５３          凹状部
６０          収容凹部
【図１】
0003216951.tif 000003
【図２】
0003216951.tif 000004
【図３】
0003216951.tif 000005
【図４】
0003216951.tif 000006
【図５】
0003216951.tif 000007
【図６】
0003216951.tif 000008